(57)【要約】  電池（１０）は、各正極側を一方側に揃え各負極側を他方側に揃えて所定の配置関係で整列配置され、保持部（２０）に保持される。保持部（２０）は、第１保持部（２２）、第２保持部（２４）及び第３保持部（２６）を含む。第１保持部（２２）は、電池（１０）の長手方向の外周面のうち一方側の一部を覆うように電池（１０）を保持する。第２保持部（２４）は、電池（１０）の長手方向の外周面のうち他方側の一部を覆うように電池（１０）を保持する。第３保持部（２６）は、電池（１０）の長手方向の外周面のうち第１保持部（２２）及び第２保持部（２４）で覆われていない領域を覆うように電池（１０）を保持する。
2015162841.tif 000002
【特許請求の範囲】
【請求項１】
複数の電池と、
前記複数の電池の各正極側を一方側に揃え各負極側を他方側に揃え、所定の配置関係で整列配置する保持部を備え、
前記保持部は、
前記複数の電池の長手方向の外周面のうち、前記一方側の一部を覆うように前記複数の電池を保持する、絶縁性を有する材料で形成されている第１保持部と、
前記複数の電池の長手方向の外周面のうち、前記他方側の一部を覆うように前記複数の電池を保持する、絶縁性を有する材料で形成されている第２保持部と、
前記複数の電池の長手方向の外周面のうち、前記第１保持部及び前記第２保持部に覆われていない領域を覆うように前記複数の電池を保持する、熱伝導性を有する材料で形成されている第３保持部を含む、電池ブロック。
【請求項２】
前記第３保持部の側面部は電池の側面輪郭に沿って凸領域と凹領域を有する波型形状で形成されており、前記凹領域において、前記第３保持部を挟み込むように、前記第１保持部と前記第２保持部は係止されている、請求項１に記載の電池ブロック。
【請求項３】
前記第１保持部及び前記第２保持部には、平面部と側壁部で区画された前記複数の電池を収納する収納部が形成されており、前記側壁部には、内側に突出するようにリブが形成されている、請求項２に記載の電池ブロック。
【請求項４】
前記所定の配置関係は、前記複数の電池を配置するときに、隣接する前記電池の間の隙間を最小にする千鳥型の配置関係である、請求項３に記載の電池ブロック。
【請求項５】
前記平面部は、前記複数の電池の正極端子又は負極端子に対応する位置に複数の貫通孔が形成されており、前記複数の電池の正極側あるいは負極側と当接される前記第１面と前記第１面と対向する第２面を有し、前記第２面上の前記複数の貫通孔が形成されていない領域に、前記千鳥型に配置される前記複数の電池の列が配置された方向に延伸し、前記複数の電池を電気的に接続する集電板が配置されている、請求項４に記載の電池ブロック。
【発明の詳細な説明】
【技術分野】
【０００１】
本発明は、電池ブロックに関する。
【背景技術】
【０００２】
電気自動車等のモータ駆動用の電源として、又は家庭用若しくは産業用の電源として、リチウムイオン電池などの複数の電池を直列又は並列接続して構成した電池ブロックが利用されている。大出力な用途に利用される電池ブロックは、大電流で充放電されて電池の温度が上昇する。このような場合、電池の劣化が促進されないよう、各電池が充放電されるときの発熱を効率よく放熱して、電池性能を良好な状態で維持することが望ましい。このため、例えば、各電池の配列面を２枚の放熱板によりその両側から挟み込んで各放熱板を電池の周面にそれぞれ当接させることによって、電池の表面からの放熱性の向上させるものが知られている。（下記特許文献１参照）。
【先行技術文献】
【特許文献】
【０００３】
【特許文献１】特開２００２−１２４２２５号公報
【発明の概要】
【０００４】
本発明に係る電池ブロックは、複数の電池と、前記複数の電池の各正極側を一方側に揃え各負極側を他方側に揃え、所定の配置関係で整列配置する保持部を備え、前記保持部は、前記複数の電池の長手方向の外周面のうち、前記一方側の一部を覆うように前記複数の電池を保持する、絶縁性を有する材料で形成されている第１保持部と、前記複数の電池の長手方向の外周面のうち、前記他方側の一部を覆うように前記複数の電池を保持する、絶縁性を有する材料で形成されている第２保持部と、前記複数の電池の長手方向の外周面のうち、前記第１保持部及び前記第２保持部に覆われていない領域を覆うように前記複数の電池を保持する、熱伝導性を有する材料で形成されている第３保持部を含むことを特徴とする。
【０００５】
以上の構成により、軽量化を図るとともに、より安全な放熱を実現できる電池ブロックを提供することが可能である。
【図面の簡単な説明】
【０００６】
【図１】図１は本発明の実施形態に係る電池ブロックの構成を示す分解斜視図である。
【図２】図２は本発明の実施形態に係る電池ブロックの構成を示す斜視図である。
【図３】図３は本発明の実施形態で用いられる第１保持部の斜視図である。
【図４】図４は本発明の実施形態に係る電池ブロックの平面図である。
【発明を実施するための形態】
【０００７】
本発明の実施の形態の説明に先立ち、従来の電池ブロックにおける課題を説明する。
【０００８】
放熱板の熱伝導性を高くするために、放熱板の材料として電気伝導性を有する金属を選択した場合、放熱機能としての部品の軽量化が図れないとともに、電池の正極電極部又は負極電極部と電気的に短絡することを防止するなど安全に放熱する必要がある。
【０００９】
そこで本発明は上記課題を解決し、放熱機能としての部品の軽量化を図るとともに、より安全な放熱を実現できる電池ブロックを提供する。
【００１０】
以下、本発明の実施形態の例を、図面を参照して具体的に説明する。参照される各図において、同一の部分には同一の符号を付し、同一の部分に関する重複する説明を原則として省略する。
【００１１】
図１は本発明の実施形態に係る電池ブロック１００の構成を示す分解斜視図である。また、図２は本発明の実施形態に係る電池ブロック１００の構成を示す斜視図である。電池ブロック１００は、複数の電池１０を並列接続して所定の容量を得るようにしたものである。本実施形態において、１つの電池ブロック１００は３２個の電池から構成される。３２個の電池１０は、各正極側を一方側に揃え各負極側を他方側に揃えて千鳥型の配置関係で整列配置され、保持部２０に保持される。
【００１２】
保持部２０は、第１保持部２２、第２保持部２４及び第３保持部２６を含む。第１保持部２２には、電池１０の長手方向に延伸する係止凹部３４が形成される。また、第２保持部２４には、電池１０の長手方向に延伸する係止凸部４４が形成される。図２に示すように、第１保持部２２と第２保持部２４は、第３保持部を挟み込むように、係止凹部３４と係止凸部４４により係止めされる。
【００１３】
電池ブロック１００には、電池１０の正極側に正極側集電板５４が配置され、負極側に負極側集電板７０が配置される。正極側集電板５４は、正極側出力端子８０と締結部材８４で締結され、負極側集電板７０は、負極側出力端子８２と締結部材８６で締結される。正極側集電板５４は正極側蓋部６２で覆われ、外部から電気的に絶縁される。また、負極側集電板７０は、負極側蓋部７８で覆われ、外部から電気的に絶縁される。
【００１４】
図１、２において、互いに直交する３軸方向として、Ｈ方向、Ｌ方向、Ｗ方向を示した。Ｈ方向は、電池１０の長手方向である。Ｌ方向、Ｗ方向は電池１０の二次元的配置の配置方向を示すが、ここでは、寸法の大きい方をＬ方向、小さい方をＷ方向とした。以下の図においても同様である。
【００１５】
電池１０は、充放電可能な二次電池である。本実施形態では、二次電池としては、リチウムイオン電池を想定する。これ以外に、ニッケル水素電池、アルカリ電池、ナトリウム電池等を用いてもよい。図１に、電池ブロック１００に収納配置される状態における３２個の電池１０の斜視図を示す。ここに示されるように、３２個の電池１０は、隣接する電池の間の隙間を最小にする千鳥型の配置関係とされ、幅方向Ｗに３列の電池列（以下、図１において紙面のＷ方向の上側から順に、第１電池列、第２電池列、第３電池列と言う）が配置され、それぞれの電池列は、Ｌ方向に沿って、１１個、１０個、１１個の電池が配置されている。
【００１６】
電池１０は、円筒形の外形を有する。円筒形の両端部のうち一方端が正極端子、他方端が負極端子として用いられる。電池１０の一例を挙げると、それぞれは、直径が１８ｍｍ、高さが６５ｍｍ、端子間電圧が３．６Ｖ、容量が２．５Ａｈのリチウムイオン電池である。これは説明のための例示であって、これ以外の寸法、特性値であってもよい。なお、電池１０は円筒形の電池に限らず、例えば、角形など他の外形を有する電池であってもよい。
【００１７】
第１保持部２２は、３２個の電池１０を千鳥型の配置関係で整列配置し、Ｈ方向の電池１０の外周面のうち正極側の一部を覆うように保持する。第１保持部２２は、全体として略矩形箱状の形状を有し、Ｈ方向の一端が開口している。第１保持部２２は、第１平面部２８と第１側面部３０を有する。第１平面部２８には、３２個の電池１０の正極端子と後述する正極側リード部４８を電気的に接続するため、それぞれの正極端子に対応する位置に貫通孔３２が形成される。第１側面部３０のＷ方向の両面には、第２保持部２４の係止凸部４４と連結する係止凹部３４が形成される。また、第１側面部３０のＬ方向の一面（図１において、紙面の左側の面）には、正極側出力端子８０が嵌め込まれる第１スリット３６が形成される。
【００１８】
図３は本発明の実施形態で用いられる第１保持部２２の斜視図である。第１保持部２２には、電池１０の正極側の一部を収納するための第１収納部８８が形成される。第１収納部８８は、第１平面部２８と第１側壁部９０により区画され、全体として略円柱状の形状で形成される。電池１０の挿入を容易にするため、収納された電池１０と第１側壁部９０との間にわずかな隙間ができるように第１収納部８８は形成される。電池ブロック１００の輸送時などは、この隙間により電池１０がガタつくこともある。そこで、第１側壁部９０の内面には、内側に突出するように第１リブ９２が形成される。第１リブ９２の突出量は、第１平面部２８から遠くなるにつれ小さくする。第１リブ９２が電池１０に当接し電池１０を支持することで、接着剤等を用いることなく電池１０のガタつきが防止される。また、第１リブ９２の突出量を第１平面部２８から遠くなるにつれ小さくすることで、電池１０の挿入容易性を維持しつつ、電池１０を安定的に保持することが可能となる。このような第１保持部２２は、所定の絶縁性、耐熱性及び強度を有する材料を用いて、第１平面部２８、第１側面部３０、第１側壁部９０及び第１リブ９２が一体に成形される。
【００１９】
図１に戻る。第２保持部２４は、３２個の電池１０を千鳥型の配置関係で整列配置し、Ｈ方向の電池１０の外周面のうち負極側の一部を覆うように保持する。第２保持部２４は、全体として略矩形箱状の形状を有し、Ｈ方向の一端が開口している。第２保持部２４は、図示しない第２平面部と第２側面部４０を有する。第２平面部には、３２個の電池１０の負極端子と後述する負極側リード部６４を電気的に接続するため、それぞれの負極端子に対応する位置に図示しない貫通孔が形成される。第２側面部４０のＷ方向の両面には、第１保持部２２の係止凹部３４と連結する係止凸部４４が形成される。また、第２側面部４０のＬ方向の一面（図１において、紙面の左側の面）には、負極側出力端子８２が嵌め込まれる第２スリット４６が形成される。第１保持部２２と同様のため詳細な説明は省略するが、第２保持部２４には、電池１０の負極側の一部を収納するための第２収納部９４が形成され、第２収納部９４を区画する第２側壁部９６の内面には、内側に突出するように第２リブが形成される。このような第２保持部２４は、所定の絶縁性、耐熱性及び強度を有する材料を用いて、第２平面部、第２側面部４０、第２側壁部９６及び第２リブが一体に成形される。
【００２０】
第３保持部２６は、３２個の電池１０を千鳥型の配置関係で整列配置し、Ｈ方向の電池１０の外周面のうち、第１保持部及び第２保持部に覆われていない領域を覆うように保持する。第３保持部２６は、全体として略円柱状の形状を有する第３収納部９８を有し、第３収納部９８の配置は、上述した電池１０の配置関係に対応して、千鳥型の配置関係とされる。すなわち、Ｗ方向に３列の第３収納部９８が配置され、それぞれの収納部列は、Ｌ方向に沿って、１１個、１０個、１１個の第３収納部９８を有する。このような第３保持部２６は、例えばアルミニウムを材料として、押出成形やダイキャストによって所定の形状に形成される。
【００２１】
保持部２０は、第３保持部２６を第１保持部２２と第２保持部２４で挟み込み、第１保持部２２の係止凹部３４と第２保持部２４の係止凸部４４との係止機構で連結することで構成される。ここで、第３保持部２６のＷ方向の両側面は、電池１０の側面輪郭に沿って凸領域と凹領域を有する波型形状で形成されているとも言える。第１保持部２２の係止凹部３４と、第２保持部２４の係止凸部４４は、第３保持部２６のＷ方向の両側面の凹領域に対応する位置にそれぞれ形成される。このため、保持部２０を構成する際、第３保持部２６のＷ方向の両側面の凸領域より内側で、係止凹部３４と係止凸部４４を係止めすることができる。よって、電池ブロック１００をＷ方向にコンパクトに積み重ねて電池モジュールを構成することができ、電池モジュールを小型化できる。
【００２２】
第３保持部２６のＨ方向の一端は第１保持部２２の第１側面部３０の頂面に当接され、他端は第２保持部２４の第２側面部４０の頂面に当接されて保持部２０は構成される。本発明の実施形態では、第１保持部２２の第１側面部３０のＨ方向の高さとして、電池１０の長手方向の高さのおよそ１／３を想定する。同様に、第２保持部２４の第２側面部４０のＨ方向の高さとして、電池１０の長手方向の高さのおよそ１／３を想定する。つまり、第３保持部２６は、電池１０の長手方向の外周のうち、中央付近の１／３の領域を覆うように電池１０を保持する。第３保持部２６は、電池１０の長手方向の外周のうち、中央付近の一部の領域を覆うだけなので、電池ブロック１００の軽量化を実現できるとともに、隣接する電池１０間で温度のばらつきが生じている場合、第３保持部２６を介して温度の均一化を図ることができる。また、第３保持部２６と電池１０の正極端子は第１保持部２２で絶縁され、電池１０の負極端子は第２保持部２４で絶縁される。よって、第３保持部２６が熱伝導性の高い伝導性を有する材料で形成されている場合でも、電池１０の正極端子及び負極端子と第３保持部２６とが短絡される危険性が抑制され、安全性を確保しながら電池ブロック１００の放熱性を向上させることができる。
【００２３】
第３保持部２６のＷ方向の幅は、第１保持部２２及び第２保持部２４のＷ方向の幅よりわずかに大きく（例えば、０．５ｍｍ）形成されており、第３保持部２６の両側面輪郭は、第１保持部２２の第１側面部３０及び第２保持部２４の第２側面部４０のそれぞれの輪郭よりわずかに外側に位置する。つまり、Ｗ方向において、第３保持部２６の両側面は、第１保持部２２の第１側面部３０及び第２保持部２４の第２側面部４０より外側に突出しているとも言える。このため、第３保持部２６は、送風ファンにて送風される冷却風に晒されやすくなる。また、冷却水が循環される冷却パイプに当接されやすくなる。さらに、取付ブラケット等の放熱機能を備えた電池ブロック１００の固定部材と当接されやすくなる。よって、第３保持部２６は、第１保持部２２の第１側面部３０及び第２保持部２４の第２側面部４０に妨げられることなくこれら冷媒と熱結合することができる。結果、電池ブロック１００の放熱性をさらに向上させることができる。
【００２４】
３２個の電池１０は、保持部２０に収納される際に、各正極側が一方側に揃えられ、各負極側が他方側に揃えられる。図１では、一方側はＨ方向に沿って紙面の右側で、他方側はＨ方向に沿って紙面の左側である。
【００２５】
正極側リード部４８は、整列配置された電池１０の正極側のそれぞれを電気的に接続する接続部材である。正極側リード部４８は、正極側リード端子５０と正極側リード接続部５２を有する。正極側リード端子５０は、第１保持部２２の貫通孔３２を介して一端が電池１０の正極端子と接続され、他端が正極側リード接続部５２に接続される。正極側リード端子５０は、形状や長さを適宜調整することで過電流が流れたときに溶断するヒューズ的な保護機能を備えることができる。正極側リード端子５０の一端は、電池１０の正極端子と、例えば、抵抗溶接、超音波溶接、レーザ溶接等で冶金的接合される。３２個の電池１０は所定数の電池グループに分割され、それぞれの電池グループに含まれる電池１０の正極側は、正極側リード端子５０及び正極側リード接続部５２により並列接続される。このような正極側リード部４８は、電気導電性を有する材料を用いて、正極側リード端子５０及び正極側リード接続部５２が一体に成形される。
【００２６】
正極側集電板５４は、上述した電池グループごとに並列接続された電池１０の正極側のそれぞれを電気的に接続する接続部材である。正極側集電板５４は、正極側集電部５６と、正極側集電部５６に対して略垂直に折り曲げて形成された正極側出力部５８を有する。正極側集電部５６は、正極側リード部４８と接続され、電池グループ間を並列接続する。つまり、正極側集電部５６は、正極側リード部４８を介して３２個の電池１０の正極側を並列接続する。正極側集電部５６は、第１電池列と第２電池列との間をＬ方向に延伸するとともに、第２電池列と第３電池列との間をＬ方向に延伸するように形成される。このように形成することで、第１保持部２２の第１平面部２８を全面的に覆うような略矩形板状の形状に形成する場合に比べ、材料を節約することができ、電池ブロック１００の軽量化を実現できる。
【００２７】
正極側出力部５８には、正極側出力端子８０が挿入される貫通孔６０が形成される。貫通孔６０に正極側出力端子８０が挿入されることにより、３２個の電池１０の正極側と正極側出力端子８０は電気的に接続され、正極側出力端子８０を介して電流を出入りさせることができる。このような正極側集電板５４は、電気導電性を有する材料を用いて、所定の形状に形成される。
【００２８】
正極側蓋部６２は、正極側集電板５４の外側に配置され、電池１０の正極側と外部とを電気的に絶縁する板材である。正極側蓋部６２は、係止機構、接着、又はこれらの組み合わせ等により第１保持部２２と連結される。このような正極側蓋部６２は、所定の絶縁性、耐熱性及び強度を有する材料を用いて、所定の形状に形成される。
【００２９】
負極側リード部６４は、整列配置された電池１０の負極側のそれぞれを電気的に接続する接続部材である。負極側リード部６４は、負極側リード端子６６と負極側リード接続部６８を有する。負極側リード端子６６は、第２保持部２４の貫通孔を介して一端が電池１０の負極端子と接続され、他端が負極側リード接続部６８に接続される。負極側リード端子６６は、形状や長さを適宜調整することで過電流が流れたときに溶断するヒューズ的な保護機能を備えることができる。負極側リード端子６６の一端は、電池１０の負極端子と、例えば、抵抗溶接、超音波溶接、レーザ溶接等で冶金的接合される。上述した電池グループに含まれる電池１０の負極側は、負極側リード端子６６及び負極側リード接続部６８により並列接続される。このような負極側リード部６４は、電気導電性を有する材料を用いて、負極側リード端子６６及び負極側リード接続部６８が一体に成形される。
【００３０】
負極側集電板７０は、上述した電池グループごとに並列接続された電池１０の負極側のそれぞれを電気的に接続する接続部材である。負極側集電板７０は、負極側集電部７２と、負極側集電部７２に対して略垂直に折り曲げて形成された負極側出力部７４を有する。負極側集電部７２は、負極側リード部６４と接続され、電池グループ間を並列接続する。つまり、負極側集電部７２は、負極側リード部６４を介して３２個の電池１０の負極側を並列接続する。負極側集電部７２は、第１電池列と第２電池列との間をＬ方向に延伸するとともに、第２電池列と第３電池列との間をＬ方向に延伸するように形成される。このように形成することで、第２保持部２４の第２平面部を全面的に覆うような略矩形板状の形状に形成する場合に比べ、材料を節約することができ、電池ブロック１００の軽量化を実現できる。
【００３１】
負極側出力部７４には、負極側出力端子８２が挿入される貫通孔７６が形成される。貫通孔７６に負極側出力端子８２が挿入されることにより、３２個の電池１０の負極側と負極側出力端子８２は電気的に接続され、負極側出力端子８２を介して電流を出入りさせることができる。このような負極側集電板７０は、電気導電性を有する材料を用いて、所定の形状に形成される。
【００３２】
図４は本発明の実施形態で用いられる電池ブロック１００の平面図である。なお、説明の簡略化のため、図４では、電池ブロック１００の正極側蓋部６２を省略して図示している。図４に示すように、正極側リード部４８は、第１保持部２２に形成されたネジ孔にビスなどの固定部材を挿入して固定される。次に、正極側出力端子８０を第１保持部２２の第１スリット３６に配置した状態で、正極側集電板５４は、貫通孔６０に正極側出力端子８０を貫通させるように第１保持部２２に嵌め込まれる。また、正極側集電板５４は、正極側リード部４８に当接されて、締結部材８４により第１保持部２２に固定される。電池ブロック１００の負極側の構造も同様のため詳細な説明は省略するが、負極側リード部６４は、第２保持部２４に固定され、負極側集電板７０は、貫通孔７６に負極側出力端子８２を貫通させるように負極側リード部６４と当接され締結部材８６により第２保持部２４に固定される。
【００３３】
本発明の実施形態によれば、電池１０は、各正極側を一方側に揃え各負極側を他方側に揃えて所定の配置関係で整列配置され、保持部２０に保持される。保持部２０は、第１保持部２２、第２保持部２４及び第３保持部２６を含む。第１保持部２２は、電池１０の長手方向の外周面のうち一方側の一部を覆うように電池１０を保持する。第２保持部２４は、電池１０の長手方向の外周面のうち他方側の一部を覆うように電池１０を保持する。第３保持部２６は、電池１０の長手方向の外周面のうち第１保持部２２及び第２保持部２４で覆われていない領域を覆うように電池１０を保持する。このため、電池ブロック１００の軽量化を実現できる。また、電池１０の正極端子及び負極端子と第３保持部２６が確実に絶縁でき、第３保持部２６に熱伝導性が高い材料を適用可能となり、安全性を確保しながら電池ブロック１００の放熱性を向上させることができる。第３保持部２６のＷ方向の両側面は、電池１０の側面輪郭に沿って凸領域と凹領域を有する波型形状で形成される。第１保持部２２の係止凹部３４と、第２保持部２４の係止凸部４４は、第３保持部２６の両側面の凹領域に対応する位置にそれぞれ形成される。このため、第３保持部２６の両側面の凸領域より内側で、係止凹部３４と係止凸部４４を係止めすることが可能となり、電池ブロック１００をコンパクトに積み重ねることができる。第１保持部２２には、電池１０の正極側の一部を収納するための第１収納部８８を形成する第１側壁部９０の内面には、内側に突出するように第１リブ９２が形成される。また、電池１０の負極側の一部を収納するための第２収納部９４を形成する第２側壁部９６の内面には、内側に突出するように第２リブが形成される。このため、接着剤等を用いることなく電池１０のガタつきを防止することができ、電池ブロック１００の製造コストを低減化し、その軽量化を実現できる。電池１０は、千鳥型の配置関係で整列配置される。このため、電池ブロック１００のコンパクト化が実現できる。正極側集電部５６及び負極側集電部７２は、第１電池列と第２電池列との間をＬ方向に延伸するとともに、第２電池列と第３電池列との間をＬ方向に延伸するように形成される。このため、材料を節約することができ、電池ブロック１００の軽量化を実現できる。
【００３４】
以上、本発明を実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。
【００３５】
（変形例）
上述の実施の形態では第３保持部のＨ方向の高さを電池１０の長手方向の高さの１／３で構成する例を説明した。この点、第３保持部のＨ方向の高さを電池１０の長手方向の高さの１／３とは異なるように構成してもよい。
【００３６】
例えば、放熱性を重視するときは、第３保持部のＨ方向の高さを電池１０の長手方向の高さの１／３より大きくできるように第１保持部２２の第１側面部３０のＨ方向の高さと第２保持部２４の第２側面部４０の高さを調整してもよい。一方、軽量性や経済性を重視するときは、第３保持部のＨ方向の高さを電池１０の長手方向の高さの１／３より小さくできるように、第１保持部２２の第１側面部３０のＨ方向の高さと第２保持部２４の第２側面部４０の高さを調整してもよい。
【００３７】
なお、本実施の形態に係る発明は、以下に記載する項目によって特定されてもよい。
［項目１］
複数の電池と、前記複数の電池の各正極側を一方側に揃え各負極側を他方側に揃え、所定の配置関係で整列配置する保持部を備え、前記保持部は、前記複数の電池の長手方向の外周面のうち、前記一方側の一部を覆うように前記複数の電池を保持する、絶縁性を有する材料で形成されている第１保持部と、前記複数の電池の長手方向の外周面のうち、前記他方側の一部を覆うように前記複数の電池を保持する、絶縁性を有する材料で形成されている第２保持部と、前記複数の電池の長手方向の外周面のうち、前記第１保持部及び前記第２保持部に覆われていない領域を覆うように前記複数の電池を保持する、熱伝導性を有する材料で形成されている第３保持部を含む、電池ブロック。
［項目２］
前記第３保持部の側面部は電池の側面輪郭に沿って凸領域と凹領域を有する波型形状で形成されており、前記凹領域において、前記第３保持部を挟み込むように、前記第１保持部と前記第２保持部は係止されている、項目１に記載の電池ブロック。
［項目３］
前記第１保持部及び前記第２保持部には、平面部と側壁部で区画された前記複数の電池を収納する収納部が形成されており、前記側壁部には、内側に突出するようにリブが形成されている、項目２に記載の電池ブロック。
［項目４］
前記所定の配置関係は、前記複数の電池を配置するときに、隣接する前記電池の間の隙間を最小にする千鳥型の配置関係である、項目３に記載の電池ブロック。
［項目５］
前記平面部は、前記複数の電池の正極端子又は負極端子に対応する位置に複数の貫通孔が形成されており、前記複数の電池の正極側あるいは負極側と当接される前記第１面と前記第１面と対向する第２面を有し、前記第２面上の前記複数の貫通孔が形成されていない領域に、前記千鳥型に配置される前記複数の電池の列が配置された方向に延伸し、前記複数の電池を電気的に接続する集電板が配置されている、項目４に記載の電池ブロック。
【産業上の利用可能性】
【００３８】
本発明に係る電池ブロックは、電気自動車等のモータ駆動用の電源、バックアップ電源等に有用である。
【符号の説明】
【００３９】
１０  電池、２０  保持部、２２  第１保持部、２４  第２保持部、２６  第３保持部、２８  第１平面部、３０  第１側面部、３２，６０，７６  貫通孔、３４  係止凹部、３６  第１スリット、４０  第２側面部、４４  係止凸部、４６  第２スリット、４８  正極側リード部、５０  正極側リード端子、５２  正極側リード接続部、５４  正極側集電板、５６  正極側集電部、５８  正極側出力部、６２  正極側蓋部、６４  負極側リード部、６６  負極側リード端子、６８  負極側リード接続部、７０  負極側集電板、７２  負極側集電部、７４  負極側出力部、７８  負極側蓋部、８０  正極側出力端子、８２  負極側出力端子、８４，８６  締結部材、８８  第１収納部、９０  第１側壁部、９２  第１リブ、９４  第２収納部、９６  第２側壁部、９８  第３収納部
【図１】
2015162841.tif 000003
【図２】
2015162841.tif 000004
【図３】
2015162841.tif 000005
【図４】
2015162841.tif 000006
【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
複数の電池と、
前記複数の電池の各正極側を一方側に揃え各負極側を他方側に揃え、所定の配置関係で整列配置する保持部を備え、
前記保持部は、
前記複数の電池の長手方向の外周面のうち、前記一方側の一部を覆うように前記複数の電池を保持する、絶縁性を有する材料で形成されている第１保持部と、
前記複数の電池の長手方向の外周面のうち、前記他方側の一部を覆うように前記複数の電池を保持する、絶縁性を有する材料で形成されている第２保持部と、
前記複数の電池の長手方向の外周面のうち、前記第１保持部及び前記第２保持部に覆われていない領域を覆うように前記複数の電池を保持する、熱伝導性を有する材料で形成されている第３保持部を含む、電池ブロック。
【請求項２】
前記第３保持部の側面部は電池の側面輪郭に沿って凸領域と凹領域を有する波型形状で形成されており、前記凹領域において、前記第３保持部を挟み込むように、前記第１保持部と前記第２保持部は係止されている、請求項１に記載の電池ブロック。
【請求項３】
前記第１保持部及び前記第２保持部には、平面部と側壁部で区画された前記複数の電池を収納する収納部が形成されており、前記側壁部には、内側に突出するようにリブが形成されている、請求項２に記載の電池ブロック。
【請求項４】
前記所定の配置関係は、前記複数の電池を配置するときに、隣接する前記電池の間の隙間を最小にする千鳥型の配置関係である、請求項３に記載の電池ブロック。
【請求項５】
前記平面部は、前記複数の電池の正極端子又は負極端子に対応する位置に複数の貫通孔が形成されており、前記複数の電池の正極側あるいは負極側と当接される前記第１面と前記第１面と対向する第２面を有し、前記第２面上の前記複数の貫通孔が形成されていない領域に、前記千鳥型に配置される前記複数の電池の列が配置された方向に延伸し、前記複数の電池を電気的に接続する集電板が配置されている、請求項４に記載の電池ブロック。
【請求項６】
複数の電池と、
前記複数の電池を、所定の配置関係で整列配置する保持部を備え、
前記保持部は、
前記複数の電池の長手方向の外周面のうち、前記一方側の一部を覆うように前記複数の電池を保持する、絶縁性を有する材料で形成されている第１保持部と、
前記複数の電池の長手方向の外周面のうち、前記他方側の一部を覆うように前記複数の電池を保持する、絶縁性を有する材料で形成されている第２保持部と、
前記複数の電池の長手方向の外周面のうち、前記第１保持部及び前記第２保持部に覆われていない領域を覆うように前記複数の電池を保持する、熱伝導性を有する材料で形成されている第３保持部を含む、電池ブロック。
【請求項７】
前記第３保持部の側面部は電池の側面輪郭に沿って凸領域と凹領域を有する波型形状で形成されており、前記凹領域において、前記第３保持部を挟み込むように、前記第１保持部と前記第２保持部は係止されている、請求項６に記載の電池ブロック。
【請求項８】
前記第１保持部及び前記第２保持部には、平面部と側壁部で区画された前記複数の電池を収納する収納部が形成されており、前記側壁部には、内側に突出するようにリブが形成されている、請求項７に記載の電池ブロック。
【請求項９】
前記所定の配置関係は、前記複数の電池を配置するときに、隣接する前記電池の間の隙間を最小にする千鳥型の配置関係である、請求項８に記載の電池ブロック。
【国際調査報告】
2015162841.tif 000007
2015162841.tif 000008